(57)【要約】【課題】  用紙積載装置において積載された用紙に対して積極的に用紙捌き動作を実施することによって、従来用紙束を捌いてからセットするようにユーザを指導するか、１枚送り推奨という対応を行っていた用紙に対してもユーザの手を煩わせることなく安定した給紙搬送性を確保する用紙積載装置およびこれを備えた画像形成装置を提供する。【解決手段】  多数の用紙を搬送方向に突き当てて用紙が傾いた状態でセットできるように搬送方向に傾斜した収納部２１と、積載収納された用紙を１枚ずつ給紙する給紙分離手段２５を備えた用紙積載装置において、用紙の紙厚を検知する紙厚検知手段５０と、用紙の表面性を検知する表面性検知手段５１と、用紙の搬送方向端面に接触しながら用紙捌き動作を行う用紙捌き手段５２を設け、前記紙厚および表面性検知手段５０、５１からの情報に基づき印刷ジョブ実行中以外の任意のときに用紙捌き動作を実行する。【選択図】        図２
2005343666.tif 000002
【特許請求の範囲】
【請求項１】
用紙束先端を突き当ることにより用紙束を搬送方向へ傾いた状態でセットさせる傾斜した壁を有した給紙トレイと、給紙トレイに積載収納された用紙束から１枚ずつ給紙する給紙分離手段と、を備えた用紙積載装置において、個々の用紙の紙厚を検知する紙厚検知手段と、用紙の表面性を検知する表面性検知手段と、用紙束の搬送方向端面に接触しながら用紙捌き動作を行う用紙捌き手段と、制御部と、を備え、
制御部は、前記紙厚および表面性検知手段からの情報に基づき印刷ジョブ実行中以外の任意のときに用紙捌き手段による用紙捌き動作を実行させることを特徴とする用紙積載装置。
【請求項２】
前記紙厚検知手段が透過型光学センサ対からなることを特徴とする請求項１記載の用紙積載装置。
【請求項３】
前記表面性検知手段が反射型光学センサからなることを特徴とする請求項１記載の用紙積載装置。
【請求項４】
前記用紙捌き手段が用紙の搬送方向端面に接触する部分がクサビ形であることを特徴とする請求項１記載の用紙積載装置。
【請求項５】
前記用紙捌き手段が少なくとも１つの空気噴出口を有する用紙捌き部材からなることを特徴とする請求項１または４記載の用紙積載装置。
【請求項６】
用紙捌き動作を行う前記用紙捌き手段から吹き付けられる空気量のモードが少なくとも２つ以上あることを特徴とする請求項１、請求項４または請求項５記載の用紙積載装置。
【請求項７】
前記用紙捌き手段を上下動させる動作モードを少なくとも２つ以上設けることを特徴とする請求項１、請求項４または請求項５記載の用紙積載装置。
【請求項８】
請求項１〜７のいずれか１項記載の用紙捌き装置を具備したことを特徴とする画像形成装置。
【請求項９】
記録動作実行時以外に用紙捌き動作を実行するボタンを配設したことを特徴とする請求項８記載の画像形成装置。
【請求項１０】
用紙捌き動作を実行時に用紙捌き動作を実行している旨を表示手段に表示し、また、用紙捌きモードの「オン／オフ」を表示手段に表示することを特徴とする請求項８記載の画像形成装置。
【請求項１１】
前記制御部は、用紙捌き動作を実行時に印刷ジョブの入力があった場合、用紙捌き動作が完了するまで記録動作を待機させ、記録動作中に用紙捌き動作を実行する入力があった場合は、記録動作が完了するまで用紙捌き動作を待機させる制御を行うことを特徴とする請求項８記載の画像形成装置。
【発明の詳細な説明】
【技術分野】
【０００１】
本発明は、複写機、ファクシミリ、プリンタ、印刷機等の画像形成装置に使用する用紙捌き（積載）装置およびこれを備えた画像形成装置に関するものである。
【背景技術】
【０００２】
従来から、用紙搬送方向端面に接触しながら上下移動可能な捌き部材と、用紙搬送方向端面に風を吹き付けて用紙の捌きおよび除湿を行なう送風手段を備える用紙捌き装置を備えた画像形成装置は提案されている（例えば特許文献１ないし３参照）。
特許文献１は、用紙搬送方向端面にシート材捌き手段を備えたシート材給送装置および画像処理装置を開示し、用紙捌き動作は非印刷時、例えば電源投入時、コピーキーの押し下げから給送開始までの期間に行われる。
特許文献２は、給紙部での紙粉をエアーで吸引除去する給紙装置および画像形成装置を開示し、空気の吹き出しによる用紙捌き手段が用紙搬送方向端面に対向して配置されている吹き出し空気量を用紙種類、サイズ等に応じて変更するように構成されている。
特許文献３は、特許文献２と同様に給紙部での紙粉をエアーで吸引除去するシート状物の捌き装置および捌き方法を開示している。この開示では用紙側面、または搬送方向端面に捌き手段としてエアーノズルを有し、このエアーノズルが上下方向に移動可能であることを述べている。
【特許文献１】特開２０００−０６２９９０公報
【特許文献２】特開２０００−３４４３５８公報
【特許文献３】特開平０７−２０６２０１号公報
【発明の開示】
【発明が解決しようとする課題】
【０００３】
近年における画像形成装置の高速化、記録用紙の多様化に伴い、安定した給紙搬送を達成することが困難になりつつある。コート紙やアート紙等は、平滑性が良く、通気性が少なく、吸湿性もあり、高湿環境下では普通紙に比べ用紙間の密着力が高くなる傾向がある。このため、これらの用紙は、普通紙に比べ給紙性が悪く重送等が発生しやすい。
また、ＯＨＰシートのように用紙間が水分的／静電気的に吸着してしまったり、裁断性の悪い用紙においては、裁断バリによって用紙端部がくっついてしまっていることがある。このような記録用紙に対しては、ユーザに用紙束を捌いてからセットするよう指導したり、１枚送り推奨といった対応を行っているのが現状である。
印刷機においてはエアー分離による捌き方法が一般的に採用されているが、機械サイズが大きくなってしまうこと、コストが高くなってしまうこと等から一般的なコピー機にはあまり採用されて来なかった。
本発明の目的は、上述した実情を考慮してなされたものであり、用紙積載装置において積載された用紙に対して積極的に用紙捌き動作を実施することによって、従来用紙束を捌いてからセットするようにユーザを指導するか、１枚送り推奨という対応を行っていた用紙に対しても、ユーザの手を煩わせることなく安定した給紙搬送性を確保する用紙積載装置およびこれを備えた画像形成装置を提供することにある。
【課題を解決するための手段】
【０００４】
上記の課題を解決するために、請求項１に記載の発明は、用紙束先端を突き当ることにより用紙束を搬送方向へ傾いた状態でセットさせる傾斜した壁を有した給紙トレイと、給紙トレイに積載収納された用紙束から１枚ずつ給紙する給紙分離手段と、を備えた用紙積載装置において、個々の用紙の紙厚を検知する紙厚検知手段と、用紙の表面性を検知する表面性検知手段と、用紙束の搬送方向端面に接触しながら用紙捌き動作を行う用紙捌き手段と、制御部と、を備え、制御部は、前記紙厚および表面性検知手段からの情報に基づき印刷ジョブ実行中以外の任意のときに用紙捌き手段による用紙捌き動作を実行させることを特徴とする。
また、請求項２に記載の発明は、前記紙厚検知手段が透過型光学センサ対からなる請求項１記載の用紙積載装置を特徴とする。
また、請求項３に記載の発明は、前記表面性検知手段が反射型光学センサからなる請求項１記載の用紙積載装置を特徴とする。
【０００５】
また、請求項４に記載の発明は、前記用紙捌き手段が用紙の搬送方向端面に接触する部分がクサビ形である請求項１記載の用紙積載装置を特徴とする。
また、請求項５に記載の発明は、前記用紙捌き手段が少なくとも１つの空気噴出口を有する用紙捌き部材からなる請求項１または４記載の用紙積載装置を特徴とする。
また、請求項６に記載の発明は、用紙捌き動作を行う前記用紙捌き手段から吹き付けられる空気量のモードが少なくとも２つ以上ある請求項１、請求項４および請求項５記載の用紙積載装置を特徴とする。
また、請求項７に記載の発明は、前記用紙捌き手段を上下動させる動作モードを少なくとも２つ以上設ける請求項１、請求項４または請求項５記載の用紙積載装置を特徴とする。
また、請求項８に記載の発明は、請求項１〜７のいずれか一項記載の用紙捌き装置を具備した画像形成装置を特徴とする。
また、請求項９に記載の発明は、記録動作実行時以外に用紙捌き動作を実行するボタンを配設した請求項８記載の画像形成装置を特徴とする。
また、請求項１０に記載の発明は、用紙捌き動作を実行時に用紙捌き動作を実行している旨を表示手段に表示し、また、用紙捌きモードの「オン／オフ」を表示手段に表示する請求項８記載の画像形成装置を特徴とする。
また、請求項１１に記載の発明は、用紙捌き動作を実行時に印刷ジョブの入力があった場合、用紙捌き動作が完了するまで記録動作を待機させ、記録動作中に用紙捌き動作を実行する入力があった場合は、記録動作が完了するまで用紙捌き動作を待機させる制御を行う請求項８記載の画像形成装置を特徴とする。
【発明の効果】
【０００６】
本発明によれば、用紙積載部において、印刷ジョブ実行中以外の任意のときに用紙捌き動作を実行させることで、従来用紙束を捌いてからセットするようにユーザを指導するか、１枚送り推奨という対応を行っていた用紙に対してもユーザの手を煩わせることなく安定した給紙搬送性を確保することができる。
また、用紙情報検知手段からの情報に基づき用紙捌き動作を実行することによって、積載された用紙に最適な用紙捌き条件で用紙捌き動作を実行させることができる。
【発明を実施するための最良の形態】
【０００７】
以下、図面を参照して、本発明の実施の形態を詳細に説明する。図１は本発明によるカラー画像形成装置を示す概略構成図である。図１において、カラー画像形成装置の略中央に画像形成部１が配置され、この画像形成部１のすぐ下方に給紙部２が配置されている。
給紙部２は各段に給紙トレイ２１を備えている。必要に応じ別の給紙装置２２を増設することができる。画像形成部１の上方は、原稿を読み取る読み取り部３が配設されている。画像形成部１の左側には排紙収納部４が形成され、画像形成された用紙が排紙収納される。
画像形成部１では、ベルト状をした中間転写ベルト５の上に、複数の作像部６が並列配置され、各々の作像部６では、ドラム状をした感光体４２の周囲に、感光体４２の表面に帯電処理を行う帯電装置４４、画像情報を感光体表面にレーザ光で照射する露光装置７が配置されている。
さらに、感光体４２の表面に露光されて形成された静電潜像を可視化する２つの現像装置４５、および、感光体４２の残留するトナーを除去回収するクリーニング装置４３が配置されており、作像プロセスとしては、中間転写ベルト５が、回転して１つのカラー画像を形成している。
最初に、イエロー（Ｙ）の作像部６で、イエロー（Ｙ）のトナーを現像し、中間転写ベルト５に転写する。次に、マゼンタ（Ｍ）の作像部６で、マゼンタのトナーを現像し、中間転写ベルト５に転写する。
次に、シアン（Ｃ）の作像部６で、シアンのトナーを現像し、中間転写ベルト５に転写し、最後に、ブラック（ＢＫ）のトナーを現像し中間転写ベルト５に転写させる。
【０００８】
中間転写ベルト５上で現像された４色のトナー像を用紙に転写する転写装置４９、転写後中間転写ベルト５表面に残留するトナーを除去回収する中間転写クリーニング装置４６がそれぞれ配置されている。
トナー像を得た用紙上のトナーを定着処理する定着部（定着装置）８が上記画像形成装置（手段）下流（用紙の搬送経路での下流）に配置されている。定着装置８を通過した用紙は排紙ローラ４１により排紙収納部４に排紙収納される。
両面印刷時は、分岐部４７にて分岐され、両面装置９を経由して、用紙が反転され、レジストローラ２３で用紙のスキューが補正され、裏面画像形成動作に至る。
給紙部２においては、給紙トレイ２１に未使用の用紙２０が収容されており、回動可能に支持された底板２４が最上の用紙２０をピックアップローラ（給紙分離手段）２５が当接可能な位置まで上昇する。
給紙ローラ（給紙分離手段）２６の回転により、最上紙は給紙トレイ２１から送り出され、レジストローラ２３へと搬送される。レジストローラ２３は用紙２０の搬送を一時止め、感光体４２表面のトナー像と用紙２０の先端との位置関係が所定の位置になるようにタイミングをとって回転が開始するように制御される。
読み取り部３では、コンタクトガラス３１上に載置される原稿（図示せず）の読み取り走査を行うために、原稿照明用光源とミラーよりなる読み取り走行体３２、３３が往復移動する。
この読み取り走行体３２、３３により走査された画像情報はレンズ３４の後方に設置されているＣＣＤ３５に画像信号として読み込まれる。この読み込まれた画像信号はデジタル化され画像処理される。画像処理された信号に基づいて、露光装置７内のレーザダイオードＬＤ（図示せず）の発光により感光体４２の表面に静電潜像が形成される。
ＬＤからの光信号は公知のポリゴンミラーやレンズを介して感光体４２に至る。読み取り部３の上方に、原稿を自動的にコンタクトガラス３１上に搬送する自動原稿搬送装置３６が取り付けられるようになっている。
【０００９】
本実施の形態のカラー画像形成装置は、上述した如く原稿を走査して読み取り、デジタル化して用紙に複写する、いわゆるデジタルカラー複写機としての機能を有している。
かかる機能の他に、図示せぬ制御装置により原稿の画像情報を遠隔地と授受するファクシミリの機能や、コンピュータが扱う画像情報を用紙上に印刷するいわゆるプリンタの機能を有する多機能の画像形成装置である。どの機能によって形成された画像もすべて１つの排紙収納部４に排出・収納される。
分岐爪４７にて分岐され両面装置９を経由して用紙を反転させ反転排紙ローラ４８を経由して排紙ローラ４１から排出された場合、排紙収納部にスタックされた用紙は画像面が下面になった状態である。
これにより、複写機、ファクシミリ、プリンタで扱う原稿の処理順が１ページから行われて印刷されても、排紙収納部から取り出したとき、１ページ目が最上になっており、改めてページを揃えるなどの作業から開放される。
図２は本発明による画像形成装置における用紙積載装置の実施の形態を示す簡略図である。図３は用紙捌き部材の第１の位置を示す概略図である。図４は用紙捌き部材の第２の位置を示す概略図である。図５は用紙捌き部材の第３の位置を示す概略図である。
図２および図３において、本発明に関係しない機構については図示していない。給紙トレイ２１の搬送方向側の壁２１ａは用紙捌き動作が実行し易いように壁に傾斜を持たせており、用紙２０を突き当ててセットする。また、紙厚検知手段５０および表面性検知手段５１は積載された用紙２０を検知できる位置に配設されている。
用紙捌き部材５２は捌き動作中の用紙２０へのダメージを最小限に抑え、かつ用紙２０間に入り込み易いようにクサビ形状部分を有している。また、用紙捌き部材５２を上下動させる駆動源は図示しないが、例えばワイヤと滑車をステッピングモータで駆動させる等により用紙捌き部材５２を上下動させるような構成となっている。
壁２１ａには、上下方向へ延びるスリット２１ａ’を設け、このスリット２１ａ’内に、外側から用紙捌き部材５２が内部へ突出可能、且つ上下動可能に構成されている。
【００１０】
図３ないし図５に示すように、用紙捌き部材５２のくさび状の先端によって、積載された用紙２０の搬送方向端部を下面から捲り上げ、用紙捌き動作を実行する。用紙捌き動作を実行した用紙捌き部材５２は給紙トレイ２１外へ退避し、次の用紙捌き動作実行命令に備え待機する。用紙捌き動作は電源オン時／給紙トレイセット２１時に実施するような制御を行い、かつ印刷実行時以外の任意なときにも実施できる。
用紙積載部において、印刷ジョブ実行中以外の任意のときに用紙捌き動作を実行させることで、従来用紙束を捌いてからセットするようユーザ指導したり、１枚送り推奨という対応を行っていた用紙に対してもユーザの手を煩わせることなく安定した給紙搬送性を確保できる。
また、用紙情報検知手段からの情報に基づき用紙捌き動作を実行することによって、積載された用紙に最適な用紙捌き条件で用紙捌き動作を実行させることができる。
紙厚検知手段５０は図示するように用紙２０を挟んで発光／受光センサ５０ａ、５０ｂが配設されており、図５のように用紙捌き部材５２が最上位紙一枚のみ捲り上げている状態で検知を行う。
透過光量により閾値を設け、段階的に紙厚を検知することができる。用紙捌き動作を最適に行うために、少なくとも普通紙／厚紙を判別できるよう閾値の設定が必要である。
また、用紙セット時は、積載された用紙２０の紙厚情報を検知する前に用紙捌き動作を実行しなければならないため、デフォルトは普通紙である等の対応が必要となる。
紙厚検知手段５０および表面性検知手段５１に光学センサ対を用い、紙厚の違いによる出力差により、紙厚を数段階に分類し、積載された用紙２０に最適な用紙捌き条件で用紙捌き動作を実行させる。
積載された用紙２０に対向するように反射型センサ５１を配設し、用紙２０の反射率から表面性を検知することができる。コート紙のように表面性がよい用紙２０は直接反射し、普通紙や表面性の悪い用紙は乱反射するので表面性の良し悪しを判別することが可能である。
【００１１】
図６は用紙積載部において空気噴出口を少なくとも１つ有する用紙捌き部材を示す概略図である。用紙捌き部材５２の先端適所に空気噴出口を少なくとも１つ持たせることにより、用紙２０を捌く過程でできる用紙２０間の隙間に空気Ａを吹き込み、より効果的に用紙捌き動作を実行させることができる。
図７は空気噴出口を有する用紙捌き部材を示す概略斜視図である。図８は空気噴出口を有する他の用紙捌き部材を示す概略斜視図である。図７では空気噴出口５２ａは表面傾斜部に設けられる。
また、図８では用紙捌き部材５２下面に空気噴出口５２ｂを設けることによって、上位紙に張り付いて持ち上げられていく用紙２０を押し下げることもできる。
図７、図８に示すように用紙捌き部材５２は、所定のギャップを隔てて突出した２つのくさび部材から構成しても良い。
用紙情報検知手段、すなわち紙厚検知手段５０および表面性検知手段５１からの用紙情報（紙厚／表面性）により、図示しない制御部（ＣＰＵ、ＲＯＭ、ＲＡＭ、Ｉ／Ｏポート等）が空気噴出量を段階的に変化させることによって積載された用紙に最適な空気噴出を行うことができる。また、空気噴出量はユーザが任意に設定できるようにしてもよい。
例えば、空気噴出量の異なるモード１、モード２をそれぞれＢ１、Ｂ２とする。Ｂ２＝２×Ｂ１とした場合、用紙間密着力が一般的に高いとされる用紙だと用紙情報検知手段により検知された場合はモード２により用紙捌き動作を実行する。また、用紙捌き効果は低下するが用紙捌き音が気にならない程度に空気噴出量を抑えた消音モードを設定してもよい。
吹き付けられる空気量が少なくとも２つ以上のモードを有することで、用紙情報検知手段からの用紙情報に基づき積載された用紙に最適な空気噴出量で用紙捌き動作を実行させ得る。
【００１２】
用紙情報検知手段からの用紙情報（紙厚／表面性）により、制御部が、用紙捌き部材５２を上下動させる速度を段階的に変化させることによって積載された用紙に最適な動作速度で用紙捌き動作を行うことができる。また、動作モードはユーザが任意に設定できるようにしてもよい。
例えば、移動転速度の異なるモード１、モード２の移動速度をそれぞれＶ１、Ｖ２とする。Ｖ２＝２×Ｖ１とした場合、モード１で用紙捌き動作を１回行う所要時間でモード２では用紙捌き動作を２回行うことができ、用紙捌き動作を効果的に実行することになる。また、用紙捌き音が気にならない程度に移動速度を抑えた消音モードを設定してもよい。
用紙捌き手段（用紙捌き部材５２）を上下動させる動作モードを少なくとも２モード以上持たせることで、用紙情報検知手段からの用紙情報に基づき積載された用紙に最適な空気噴出量で用紙捌き動作を実行させ得る。
前述した用紙捌き手段を具備したことにより、従来用紙束を捌いてからセットするようにユーザを指導したり、１枚送り推奨という対応を行っていた用紙に対してもユーザの手を煩わせることなく画像形成装置に安定した給紙搬送性を提供することができる。
用紙捌き動作実行ボタンを操作部に配設してあり、この用紙捌き動作実行ボタンから用紙捌き動作の実行入力をする。これによって、記録動作実行時以外の任意なときに用紙捌き動作を実行することができる。
図９は用紙捌き動作が実行中であることをユーザに提示する表示部を説明するブロック回路図である。図９において、画像形成部１、給紙部２、定着部８はエンジン制御部５３に接続される。このエンジン制御部５３はコントローラ制御部５５に接続され、このコントローラ制御部５５はホストコンピュータ５６および表示部５４に接続される。
用紙捌き動作を実行時に、用紙捌き動作を実行している旨を表示部（表示手段）５４に表示することによって、用紙捌き動作が実行中であることをユーザに提示する。また同様に、用紙捌きモード「オン／オフ」を表示手段５４に表示することによって用紙捌きモード「オン／オフ」をユーザに提示する。
用紙捌きモードオン時は、用紙積載装置が画像形成装置本体にセットされ、用紙積載装置に積載収納されている用紙が検知された場合、まず用紙捌き動作を行うよう制御してある。また、用紙捌きモードオフ時は、用紙捌き動作実行ボタンからの入力がないかぎり用紙捌き動作は実行しない。
【００１３】
図１０は用紙捌き動作実行中に印刷ジョブ入力があった場合、用紙捌き動作が完了するまで記録動作を待機させる制御を説明するフローチャートである。図１１は記録動作中に用紙捌き動作実行入力があった場合、記録動作が完了するまで用紙捌き動作を待機させる制御を説明するフローチャートである。
図１０に示すように、用紙捌き動作実行中に印刷ジョブ入力があった場合に（Ｓ１）、用紙捌き動作を開始し（Ｓ２）、印刷ジョブ入力かどうかを判断し（Ｓ３）、印刷ジョブ入力ならば、用紙捌き動作実行中かどうか判断する（Ｓ４）。用紙捌き動作実行中でないならば、用紙捌き動作を完了し（Ｓ５）、記録動作を開始する。
すなわち、図１０に示すように、用紙捌き動作実行中に印刷ジョブ入力があった場合には、用紙捌き動作が完了するまで記録動作を待機させるように制御を行う。
また図１１に示すように、印刷ジョブ入力ならば（Ｓ１１）、記録動作を開始し（Ｓ１２）、用紙捌き動作入力かどうかを判断し（Ｓ１３）、用紙捌き動作入力ならば、記録動作実行中かどうかを判断する（Ｓ１４）。
記録動作実行中でないならば、記録動作を完了し（Ｓ１５）、用紙捌き動作を開始する（Ｓ１６）。ステップＳ１３で用紙捌き動作入力でないならば、記録動作を完了する（Ｓ１７）。
以上のように、「用紙捌き動作を実行時に印刷ジョブの入力があった場合、用紙捌き動作が完了するまで記録動作を待機させる」、「記録動作中に用紙捌き動作を実行する入力があった場合は、記録動作が完了するまで用紙捌き動作を待機させる」といった制御を行うことにより、「ジョブ待ち→ジョブ入力→ジョブ実行→ジョブ完了→ジョブ待ち」というジョブの一連の流れを妨げない。
【図面の簡単な説明】
【００１４】
【図１】本発明によるカラー画像形成装置を示す概略構成図。
【図２】本発明による画像形成装置における用紙積載装置の実施の形態を示す簡略図。
【図３】用紙捌き部材の第１の位置を示す概略図。
【図４】用紙捌き部材の第２の位置を示す概略図。
【図５】用紙捌き部材の第３の位置を示す概略図。
【図６】用紙積載部において空気噴出口を少なくとも１つ有する用紙捌き部材を示す概略図。
【図７】空気噴出口を有する用紙捌き部材を示す概略斜視図。
【図８】空気噴出口を有する他の用紙捌き部材を示す概略斜視図。
【図９】用紙捌き動作が実行中であることをユーザに提示する表示部を説明するブロック回路図。
【図１０】用紙捌き動作実行中に印刷ジョブ入力があった場合、用紙捌き動作が完了するまで記録動作を待機させる制御を説明するフローチャート。
【図１１】記録動作中に用紙捌き動作実行入力があった場合、記録動作が完了するまで用紙捌き動作を待機させる制御を説明するフローチャート。
【符号の説明】
【００１５】
２１    収納部（給紙トレイ）
２５    給紙分離手段（ピックアップローラ）
５０    紙厚検知手段
５１    表面性検知手段
５２    用紙捌き手段（用紙捌き部材）
５２ａ  空気噴出口
５２ｂ  空気噴出口
５４    表示手段（表示部）
【図１】
2005343666.tif 000003
【図２】
2005343666.tif 000004
【図３】
2005343666.tif 000005
【図４】
2005343666.tif 000006
【図５】
2005343666.tif 000007
【図６】
2005343666.tif 000008
【図７】
2005343666.tif 000009
【図８】
2005343666.tif 000010
【図９】
2005343666.tif 000011
【図１０】
2005343666.tif 000012
【図１１】
2005343666.tif 000013